(57)【要約】【課題】ゲーム性を向上させて、プレーヤの遊戯意欲を高める。【解決手段】景品保持テーブル１８，１８は、固定テーブル１２の長手方向に沿って配された軸部材Ａ１，Ａ２を有する。軸部材Ａ１，Ａ２は、固定テーブル１２の側端部（側縁部）の略中央部分に設置された支持部材１９１，１９１によってそれぞれ支持される。また、固定テーブル１２の側端部（側縁部）の後側下方には、軸部材Ａ１，Ａ２を回転させる保持テーブル駆動機構１９，１９を備えている。景品保持テーブル１８，１８は、「小当たり」となった時に、スライドテーブル１４のスライド方向に沿って起立する。【選択図】      図６
2004160148.tif 000002
【特許請求の範囲】
【請求項１】
景品を載置する載置台と、
前記載置台に載置された景品を押して移動させる押出部材と、
を備え、
前記押出部材によって前記景品を押して移動させて前記載置台から景品獲得口へ落下させるようにした遊戯装置において、
所定条件を満たしたときに、前記景品獲得口へ向かわない状態となった前記景品を再び前記景品獲得口へ向かう状態に移動させる復帰手段を備えることを特徴とする遊戯装置。
【請求項２】
請求項１に記載の遊戯装置であって、
前記復帰手段は、前記景品を前記景品獲得口へ向かう状態に移動させた後は、前記景品の移動する方向を規制することを特徴とする遊戯装置。
【請求項３】
景品を載置する載置台と、
前記載置台上を移動して、当該載置台上の景品を押し出す押出部材と、
第１位置に位置することで前記載置台上に載置された景品の所定方向への移動を防止するとともに、第２位置に位置することで当該防止部材の一側面と前記載置台の上面とが連接した略同一の平面を形成する防止部材と、
前記防止部材を、少なくとも前記第１位置と前記第２位置に移動させる移動制御手段と、
を備えることを特徴とする景品押出装置。
【請求項４】
請求項３に記載の景品押出装置であって、
前記押出部材は前記載置台上を往復移動し、
前記防止部材が第１位置に位置することで、前記押出部材の往復移動方向に景品を案内することを特徴とする景品押出装置。
【請求項５】
請求項３又は４に記載の景品押出装置であって、
前記防止部材は、前記載置台の一端部で軸支されており、
前記移動制御手段は、前記防止部材を軸回転させることにより第１位置に移動させることを特徴とする景品押出装置。
【請求項６】
請求項３又は４に記載の景品押出装置であって、
前記防止部材は、前記一側面と前記載置台の上面との成す角度が変更可能なように前記載置台の一端部で軸支されていることを特徴とする景品押出装置。
【請求項７】
請求項５又は６に記載の景品押出装置であって、
前記移動制御手段は、前記防止部材の軸回転量を段階的に制御することを特徴とする景品押出装置。
【請求項８】
請求項３〜７の何れか一項に記載の景品押出装置と、当該景品押出装置の一端側から落下した景品を外部に送出する景品獲得口とを備えた遊戯装置。
【請求項９】
景品を載置する載置台と、
前記載置台に載置された景品を押して移動させる押出部材と、
を備え、
前記押出部材によって前記景品を移動させて前記載置台から景品獲得口へ落下させるようにした遊戯装置において、
第１位置に位置することで前記載置台上に載置された景品の所定方向への移動を防止する防止部材と、
前記防止部材を、前記第１位置に移動させる移動制御手段と、
を備えることを特徴とする遊戯装置。
【請求項１０】
請求項９に記載の遊戯装置において、
前記押出部材は前記載置台上を往復移動し、
前記防止部材が前記第１位置に位置することで、前記押出部材の往復移動方向に景品を案内することを特徴とする遊戯装置。
【請求項１１】
請求項９又は１０に記載の遊戯装置において、
前記防止部材は、前記第１位置に位置することにより、前記押出部材の往復移動方向に沿って、前記載置台の上面に対して略起立した状態となることを特徴とする遊戯装置。
【請求項１２】
請求項９〜１１の何れか一項に記載の遊戯装置において、
前記防止部材は、前記載置台の上面に対して略垂直な軸を中心として回動可能に軸支され、
前記移動制御手段は、前記防止部材を軸回転させることにより第１位置に移動させることを特徴とする遊戯装置。
【発明の詳細な説明】
【０００１】
【発明の属する技術分野】
本発明は、プッシャー型の遊戯装置及び当該遊戯装置に具備される景品押出装置に関する。
【０００２】
【従来の技術】
従来から、固定テーブル上をスライドテーブルが往復移動することにより、固定テーブル上の景品を押し出して払い出すプッシャー型の遊戯装置が知られている。この遊戯装置は、プレーヤによるゲームの開始指示に応じて、回転するターンテーブル上に載置された景品をショベルで掬い上げ、掬い上げた景品を固定テーブル上に落下させ、固定テーブル上を往復移動するスライドテーブルによる景品の押し出し動作により景品獲得口に落ちた景品が、プレーヤに払い出される構成となっている（例えば、特許文献１参照。）。
【０００３】
また、上記したようなプッシャー型の遊戯装置においては、景品のペイアウト率を可変させるようにしたものが知られている。具体的には、例えば、スライドテーブルによる押し出し動作に応じて押し出される景品がさらにその前方に載置されている景品を押し出すため、景品の移動方向が左右に分散されてしまい、景品が固定テーブルの側縁から落下してしまう場合があるが、この側縁から落下する景品の量を可変させるようにしてペイアウト率を変更する。
【０００４】
例えば、コインを払い出すプッシャーゲーム機において、コイン押動部材の進退方向と平行なフィールドの端辺部に、当該フィールドに対して位置調節可能なコインフェンスを設け、側縁からコインが落下し過ぎないように、ペイアウト率を調整する技術が知られている（例えば、特許文献２参照。）。
【０００５】
【特許文献１】
実公平３−４５７５１号公報
【特許文献２】
実用新案登録第２５９３４５８号公報
【０００６】
【発明が解決しようとする課題】
ところで、上述した遊戯装置においては、固定テーブル上に載置される景品の分布に応じてどの景品が払い出されるかが大体決まってしまう。また、例えば、特許文献２で開示されているプッシャーゲーム機は、予めコインフェンスの設置位置を調節することにより、当該プッシャーゲーム機自体のペイアウト率を調整するものである。このため、興趣性に欠け、プレーヤは、景品が払い出される前にゲームに飽きてしまうという問題があった。
【０００７】
本発明は、上記した従来の事情に鑑みて為されたものであり、ゲーム性を向上させて、プレーヤの遊戯意欲を高めることができるような遊戯装置を提供することを目的とする。
【０００８】
【課題を解決するための手段】
以上の課題を解決するため、請求項１に記載の発明は、
景品を載置する載置台（例えば、図６に示す固定テーブル１２）と、
前記載置台に載置された景品を押して移動させる押出部材（例えば、図６に示すスライドテーブル１４）と、
を備え、
前記押出部材によって前記景品を押して移動させて前記載置台から景品獲得口へ落下させるようにした遊戯装置において、
所定条件を満たしたときに、前記景品獲得口へ向かわない状態となった前記景品を再び前記景品獲得口へ向かう状態に移動させる復帰手段（例えば、図６に示す景品保持テーブル１８，保持テーブル駆動機構１９）を備えることを特徴としている。
【０００９】
景品とは、ゲームプレイで所定の条件をクリアした場合に払い出される褒美品や賞品といったもののことであり、本明細書においては、例えば、小袋分けされた飴や菓子、遊戯媒体であるメダル、おもちゃ、装飾品、各種グッズ、カプセル等を総称して景品と呼ぶ。
【００１０】
この請求項１に記載の発明によれば、載置台上で押出部材により押される景品の内、景品獲得口へ向かわない状態となった景品の移動方向を、所定条件を満たした場合に、景品を払い出すための景品獲得口に向かう方向に変更させることができる。
【００１１】
また、請求項２に記載の発明は、請求項１に記載の遊戯装置であって、
前記復帰手段は、前記景品を前記景品獲得口へ向かう状態に移動させた後は、前記景品の移動する方向を規制することを特徴としている。
【００１２】
この請求項２に記載の発明によれば、押出部材により押されて移動する景品の移動方向を、景品を払い出すための景品獲得口へ向かう方向に規制することができる。
【００１３】
また、請求項３に記載の景品押出装置は、
景品を載置する載置台と、
前記載置台上を移動して、当該載置台上の景品を押し出す押出部材と、
第１位置に位置することで前記載置台上に載置された景品の所定方向への移動を防止するとともに、第２位置に位置することで当該防止部材の一側面と前記載置台の上面とが連接した略同一の平面を形成する防止部材（例えば、図６に示す景品保持テーブル１８，１８）と、
前記防止部材を、少なくとも前記第１位置と前記第２位置に移動させる移動制御手段（例えば、図８に示す制御装置５０）と、
を備えることを特徴としている。
【００１４】
この請求項３に記載の発明によれば、景品押出装置の第１位置への移動が可能に構成された防止部材を備え、防止部材が第１位置に位置する場合には、当該防止部材により、載置台上を移動する押出部材による景品の所定方向への移動を防止することができる。また、防止部材が第２位置に位置する場合には、防止部材の一側面と載置台の上面とが連接して略同一平面を形成する。これにより、載置台の面積を、防止部材の一側面の面積分広くすることができ、押出部材により載置台上から押し出された景品を、当該防止部材の一側面上に保持しておくことができる。
【００１５】
また、請求項４に記載の発明は、請求項３に記載の景品押出装置であって、
前記押出部材は前記載置台上を往復移動し、
前記防止部材が第１位置に位置することで、前記押出部材の往復移動方向に景品を案内することを特徴としている。
【００１６】
この請求項４に記載の発明によれば、防止部材が第１位置に位置する場合に、押出部材の往復移動により押し出される景品を、当該押出部材の往復方向に移動させることができる。
【００１７】
また、請求項５に記載の発明は、請求項３又は４に記載の景品押出装置であって、
前記防止部材は、前記載置台の一端部で軸支されており、
前記移動制御手段は、前記防止部材を軸回転させることにより第１位置に移動させることを特徴としている。
【００１８】
この請求項５に記載の発明によれば、載置台の一端部において防止部材を支持する軸を回転させることにより、当該防止部材を、景品の移動方向を制限するための第１の位置に移動させることができる。
【００１９】
そして、請求項６に記載の発明は、請求項３又は４に記載の景品押出装置であって、
前記防止部材は、前記一側面と前記載置台の上面との成す角度が変更可能なように前記載置台の一端部で軸支されていることを特徴としている。
【００２０】
この請求項６に記載の発明によれば、防止部材の一側面と、載置台の上面との成す角度を変更することができるので、防止部材上に保持される景品を載置台上に移動させることができる。
【００２１】
そして、請求項７に記載の発明は、請求項５又は６に記載の景品押出装置であって、
前記移動制御手段は、前記防止部材の軸回転量を段階的に制御することを特徴としている。
【００２２】
この請求項７に記載の発明によれば、防止部材の一側面と、載置台の上面との成す角度を段階的に変更することができる。
【００２３】
また、請求項８に記載の発明は、請求項３〜７の何れか一項に記載の景品押出装置と、当該景品押出装置の一端側から落下した景品を外部に送出する景品獲得口（例えば、図４に示す景品獲得口６０）とを備えた遊戯装置である。
【００２４】
この請求項８に記載の発明によれば、遊戯装置において、当該遊戯装置の備える景品押出装置により、請求項３〜７の何れか一項に記載の発明と同様の効果を奏することができる。例えば、所定のタイミングで第１位置に防止部材を移動させ、当該防止部材により、押出部材により押し出された景品の移動方向を制限し、景品獲得口側に落下させることができる。
【００２５】
請求項９に記載の発明は、
景品を載置する載置台（例えば、図１３に示す固定テーブル１２）と、
前記載置台に載置された景品を押して移動させる押出部材（例えば、図１３に示すスライドテーブル１４）と、
を備え、
前記押出部材によって前記景品を移動させて前記載置台から景品獲得口へ落下させるようにした遊戯装置において、
第１位置に位置することで前記載置台上に載置された景品の所定方向への移動を防止する防止部材（例えば、図１４に示す防止部材２２０）と、
前記防止部材を、前記第１位置に移動させる移動制御手段（例えば、図１７に示す制御装置３００）と、
を備えることを特徴としている。
【００２６】
この請求項９に記載の発明によれば、第１位置への移動が可能な防止部材を備えることにより、防止部材が第１位置に位置する場合に、当該防止部材により、載置台上を移動する押出部材による景品の所定方向への移動を防止することができる。
【００２７】
また、請求項１０に記載の発明は、
請求項９に記載の遊戯装置において、
前記押出部材は前記載置台上を往復移動し、
前記防止部材が前記第１位置に位置することで、前記押出部材の往復移動方向に景品を案内することを特徴としている。
【００２８】
この請求項１０に記載の発明によれば、防止部材が第１位置に位置する場合に、押出部材の往復移動により押し出される景品を、当該押出部材の往復移動方向、即ち、景品獲得口に向かう方向に案内することができる。
【００２９】
そして、請求項１１に記載の発明は、
請求項９又は１０に記載の遊戯装置において、
前記防止部材は、前記第１位置に位置することにより、前記押出部材の往復移動方向に沿って、前記載置台の上面に対して略起立した状態となることを特徴としている。
【００３０】
この請求項１１に記載の発明によれば、防止部材は、第１位置に位置することにより、押出部材の往復移動方向に沿って載置台の上面に対して略起立した状態となる。従って、載置台上の景品の、押出部材の往復移動方向と直交する方向への移動を防止することができるとともに、押出部材の往復移動により押し出される景品を、当該押出部材の往復移動方向、即ち、景品獲得口に向かう方向に案内することができる。
【００３１】
そして、請求項１２に記載の発明は、
請求項９〜１１の何れか一項に記載の遊戯装置において、
前記防止部材は、前記載置台の上面に対して略垂直な軸を中心として回動可能に軸支され、
前記移動制御手段は、前記防止部材を軸回転させることにより第１位置に移動させることを特徴としている。
【００３２】
この請求項１２に記載の発明によれば、載置台の上面に対して略垂直に設けられて防止部材を支持する軸を回動させることにより、防止部材を、景品を前記所定方向に移動させるための第１位置に移動させることができる。
【００３３】
【発明の実施の形態】
〔第１の実施の形態〕
以下、図を参照して、本発明を適用した第１の実施の形態について説明する。図１は本発明を適用した遊戯装置１の外観図であり、図２は遊戯装置１の平面図であり、図３は遊戯装置１の１つのステーションに係る要部正面図であり、図４は遊戯装置１の１つのステーションに係る要部縦断面図である。この遊戯装置１は、いわゆるプッシャー型ゲーム機と呼ばれる遊戯装置である。
【００３４】
遊戯装置１は、平面視略六角形の形状を成しており、略六角形の各辺でプレーヤが遊戯するためのステーションが６つ配設され、同時に６人のプレーヤが遊べるように構成されている。遊戯装置１は、プッシャーテーブル部１０と、掬い上げ装置２０と、ジャックポット（以下、「ＪＰ」という。）用の景品払出装置（以下、「ＪＰ用払出装置」という。）３０と、景品補充装置４０と、制御装置５０とを主に備えて構成され、制御装置５０は、遊戯装置１の動作を統括的に制御する。以下、遊戯装置１の１つのステーションに着目して、遊戯装置１の構成及び動作を簡単に説明する。説明上、上下方向は図１，３，４に向かって上下の方向とし、同図の上を上、下を下として説明する。また奥行き方向は、図３に向かって前後（手前／奥）の方向とし、スライドテーブル１４が景品獲得口６０に近づく向きを前又は手前、遠ざかる向きを後又は奥として説明する。
【００３５】
ターンテーブル７０は、景品Ｇが多数積載されたリング状の受け皿であり、遊戯装置１内を、一定方向に軸回転するように構成されている。
【００３６】
プッシャーテーブル部１０は、固定テーブル１２と、固定テーブル１２上を前後方向に摺動するスライドテーブル１４と、固定テーブル１２の前面端部に設置されたスイッチ１６とを備えて構成される。スライドテーブル１４が前後方向にスライドするため、スライドテーブル１４の前面によって固定テーブル１２上に載置された景品Ｇが移動する。固定テーブル１２上に載置された景品Ｇの密度が高いと、景品Ｇが玉突き状態となって、固定テーブル１２の前面端部から景品Ｇが落下し、景品獲得口６０から景品Ｇが払い出される。一方、固定テーブル１２上に載置された景品Ｇの密度が低いと、固定テーブル１２上の隙間を埋めるように景品Ｇが移動することとなる。また、詳細は後述するが、本第１の実施の形態において、固定テーブル１２の左右両脇には、当該固定テーブル１２と連接して略同一平面を形成する景品保持テーブル１８，１８がそれぞれ配される。
【００３７】
景品Ｇは、固定テーブル１２上の密度や他の景品Ｇの移動状態の影響を受けながら移動するため、景品獲得口６０の方向へ必ずしも移動するわけではなく、中には固定テーブル１２上（景品獲得口６０へ向かう状態）から押し出されて景品保持テーブル１８上（景品獲得口６０へ向かわない状態）へ移動してしまい、その後も景品獲得口６０の方向へ向かうことなく、景品保持テーブル１８上に留まったり、ターンテーブル７０へ落下してしまったりする。
【００３８】
スイッチ１６は、景品Ｇの重力によって可動する棒状の検知バーを備えており、固定テーブル１２の前面端部から落下する景品Ｇが接触するように検知バーが設置されている。検知バーの可動によって景品Ｇの払い出しを検知すると、スイッチ１６は、検知信号を制御装置５０に出力する。
【００３９】
掬い上げ装置２０は、２本のアーム２２，２３と、ショベル２４と、ＪＰルーレット２６と、ＪＰメーター２７とを備えて構成される。２本のアーム２２，２３とショベル２４とにより所定のリンク機構が構成され、ターンテーブル７０上に載置された景品Ｇをショベル２４が掬い上げ、掬い上げた景品Ｇをプッシャーテーブル部１０に落下させるように構成されている。ＪＰルーレット２６とＪＰメーター２７とは、ショベル２４を軸支するアーム２２の前面に設置されている。遊戯装置１の操作部８０からプレーヤによる操作入力がなされると、掬い上げ装置２０による掬い上げ動作が開始される。尚、プレーヤによる操作入力は、原則、この掬い上げ装置２０に対する掬い上げ動作指示のみである。
【００４０】
ＪＰルーレット２６は、スイッチ１６により景品Ｇの払い出しが検知された場合に、制御装置５０からの制御によって起動する電子式のルーレットであり、“１”，“２”，“３”の何れかの目（以下、「ポイント」という。）を指示する。ＪＰメーター２７は、ＪＰルーレット２６によって指示されたポイントの数を累積的に表示する表示器であり、現在のポイント数を棒グラフ状に表示する。遊戯装置１は、このポイント数に応じて、「小当たり」、「中当たり」、「大当たり（ＪＰ）」の３種類の特典動作を起動するように構成されている。
【００４１】
ＪＰ用払出装置３０は、予め景品Ｇが収納されたバスケット３２と、バスケット３２を支持する支持アーム３４とを備えて構成される。バスケット３２は、支持アーム３４の一端に軸支されており、支持アーム３４の他端を軸中心として支持アーム３４が手前側に回転する（プレーヤに向かって倒れてくる）ことにより、バスケット３２の上面開口部から景品獲得口６０へ景品Ｇが落下するよう構成されている。この支持アーム３４の回転動作は、ポイント数が「大当たり（ＪＰ）」となった時に起動される。
【００４２】
景品補充装置４０は、透明な樹脂等により円柱形状に形成されたシリンダー４２と、シリンダー４２内に集積された景品Ｇを下から押し上げるピストン４４と、シリンダー４２の上部開口部から斜め下方に傾斜した傾斜板４６とを備えて構成され、平面視略六角形の遊戯装置１内の頂点位置に配置される。また、傾斜板４６は、図２に示すように、プッシャーテーブル部１０の端部と、ターンテーブル７０との間に、傾斜板４６の端面が来るように配設されており、ピストン４４によって押し上げられ、シリンダー４２の開口部より放出される景品Ｇが、プッシャーテーブル部１０或いはターンテーブル７０に落下するように構成されている。このピストン４４の上昇動作は、所定のタイミングで実行される。
【００４３】
本第１の実施の形態は、上述した現在のポイント数が所定値に達したことにより「小当たり」となった時に起動される特典動作に関するものである。具体的には、制御装置５０は、現在のポイント数を監視し、「小当たり」に対応するポイント数に達したと判断した際に、「小当たり」モードを設定して該当する特典動作を起動する。
【００４４】
図５は、「小当たり」となった時に起動される特典動作を説明するための図である。（ａ）は景品保持テーブル１８，１８の定常状態（第２位置）、（ｂ）は景品落下防止状態（第１位置）、をそれぞれ示している。同図（ａ）に示すように、定常状態において、景品保持テーブル１８，１８上には、スライドテーブル１４がスライドすることにより固定テーブル１２上から押し出された景品Ｇ´が保持（載置）される。
【００４５】
この景品保持テーブル１８，１８は、「小当たり」となった時に、同図（ｂ）に示すように、スライドテーブル１４のスライド方向に沿って起立するようになっている。そして、景品保持テーブル１８，１８は、例えば、「小当たり」となった時から所定時間が経過して「小当たり」モードが解除された際に、図５（ｂ）に示す景品落下防止状態から、（ａ）に示す定常状態に戻るようになっている。
【００４６】
従って、固定テーブル１２と連接して略同一平面を形成している景品保持テーブル１８，１８（定常状態）により、固定テーブル１２上から押し出された景品Ｇをターンテーブル７０にすぐに落下させずに保持しておくことができる。そして、「小当たり」となった時に、景品保持テーブル１８，１８上に保持された景品Ｇ´を固定テーブル１２上に復帰させることができる。即ち、景品獲得口６０へは向かわなくなった景品Ｇを再び固定テーブル１２上、実際には固定テーブル１２上の中央付近に移動するようにしたので、またそれら景品Ｇが景品獲得口６０へ向かう可能性が出てくる。
【００４７】
また、「小当たり」モードが解除されるまでの間、景品保持テーブル１８，１８は、スライドテーブル１４のスライド方向に沿って起立した状態を維持するので（景品落下防止状態）、固定テーブル１２の左右両脇からターンテーブル７０への景品Ｇの落下を防止し、固定テーブル１２の前面に向かって景品Ｇが移動する規制ガイドの役割を果たす。
【００４８】
これによれば、「小当たり」時の景品のペイアウト率を高めることが可能となるため、ゲーム性を向上させることができ、プレーヤの遊戯意欲を高めることができる。
【００４９】
次に、本第１の実施の形態におけるプッシャーテーブル部１０の構成について説明する。図６は、プッシャーテーブル部１０の平面図であり、図７は、当該プッシャーテーブル部１０の要部正面図である。尚、図７においては、左側に定常状態における保持テーブル駆動機構１９、右側に景品落下防止状態における保持テーブル駆動機構１９をそれぞれ図示しているが、実際には、左右の保持テーブル駆動機構１９，１９は、景品保持テーブル１８，１８の定常状態と景品落下防止状態とを同時に切り替えるように動作制御される。
【００５０】
図６に示すように、景品保持テーブル１８，１８は、固定テーブル１２の長手方向に沿って配された軸部材Ａ１，Ａ２を有する。軸部材Ａ１，Ａ２は、固定テーブル１２の側端部（側縁部）の略中央部分に設置された支持部材１９１，１９１によってそれぞれ支持される。
【００５１】
また、固定テーブル１２の側端部（側縁部）の後側下方には、軸部材Ａ１，Ａ２を回転させることにより景品保持テーブル１８，１８の定常状態と景品落下防止状態を切り替える保持テーブル駆動機構１９，１９を備えている。この保持テーブル駆動機構１９，１９を軸部材Ａ１，Ａ２の後側端部に設置することにより、景品が積載されるターンテーブル７０やプッシャーテーブル部１０等を遊戯装置１内に配置する際の自由度を高めることができる。
【００５２】
具体的には、軸部材Ａ１，Ａ２の後側端部には、図７に示すように、それぞれ、モータ１９２を駆動源とする第１アーム１９３の一端部が連結されている。また、第１アーム１９３の他端部には、ばね部材１９５が連結されている。ばね部材１９５は、第１アーム１９３を、景品保持テーブル１８が起立状態（景品落下防止状態）となる方向に付勢している。
【００５３】
モータ１９２の駆動軸には、一端部にローラ１９６を設けた第２アーム１９４の他端部が連結されている。図７中に示す、一点鎖線の円弧は、第２アーム１９４がモータ１９２により回転駆動された際のローラ１９６の軸の軌跡を示している。図７の左側のモータ１９２は図中時計回りに回転駆動し、右側のモータ１９２は反時計回りに回転駆動する。同図中左側の保持テーブル駆動機構１９は、ローラ１９６が第１アーム１９３に当接して、ばね部材１９５の付勢に抗して第１アーム１９３を回転させている状態を示している。この第１アーム１９３の回転により、景品保持テーブル１８は、起立状態（景品落下防止状態）から倒伏状態（定常状態）に切り替えられる。
【００５４】
そして、第２アーム１９４がさらに回転すると、第１アーム１９３の回転端部からローラ１９６が外れるので、第１アーム１９３は、ばね部材１９５により再び引張られて、景品保持テーブル１８が起立するようになっている（モータの回転方向が逆であるが、図７の右側の状態となる。）。
【００５５】
また、保持テーブル駆動機構１９は、モータ１９２の近傍に、ローラ１９６が第１アーム１９３の回転端部から外れる直前の位置を検知するための原点センサ１９７を備えて構成され、当該原点センサ１９７による検出位置でモータ１９２の回転駆動を停止させることにより、定常状態を維持させることができるようになっている。
【００５６】
次に、「小当たり」に対応する特典動作に係る制御装置５０の動作について、図８に示す機能ブロックを参照して説明する。制御装置５０は、モータ１９２に駆動信号を出力してモータ１９２の回転動作を制御することにより、景品保持テーブル１８の定常状態／景品保持状態を切り替える。また、上述したように、制御装置５０には、原点センサ１９７から検知信号が入力される。
【００５７】
具体的には、制御装置５０は、現在のポイント数に応じて「小当たり」モードを設定し、先ず、モータ１９２に駆動信号を出力して第２アーム１９４を回転させることにより、景品保持テーブル１８を起立させる。また、制御装置５０は、モータ１９２を駆動してから所定時間（例えば、５秒）が経過した際に、駆動信号の出力を中止して第２アーム１９４の回転を停止させる。
【００５８】
また、制御装置５０は、例えば、「小当たり」モードを設定してからの経過時間を監視し、所定時間（例えば、１分）が経過した際に、「小当たり」モードを解除する。即ち、制御装置５０は、モータ１９２に駆動信号を出力して第２アーム１９４を回転させ、原点センサ１９７から入力される検知信号に応じて駆動信号の出力を中止して第２アーム１９４の回転を停止させることにより、景品保持テーブル１８を倒伏させる。これにより、景品保持テーブル１８を倒伏させた状態（定常状態）を維持することができる。
【００５９】
尚、固定テーブル１２の左右両脇に配された景品保持テーブル１８，１８を両方駆動することとして説明したが、何れか一方を駆動することとしても構わない。
【００６０】
以上、本発明を適用した第１の実施の形態例について説明したが、本発明は、上記したものに限らず適宜変更可能である。
【００６１】
例えば、上記した実施の形態においては、固定テーブル１２の左右両脇に、当該固定テーブル１２と連接して略同一平面を形成することにより、固定テーブル１２から押し出された景品Ｇを保持する景品保持テーブル１８，１８を備え、当該景品保持テーブル１８，１８を「小当たり」時に起立させる場合について説明したが、景品保持テーブル１８，１８は固定テーブル１２と連接した略同一平面を形成していなくてもよい。
【００６２】
例えば、景品保持テーブル１８，１８は定常状態では固定テーブル１２より所定高さだけ低い位置に維持されていて、固定テーブル１２から押し出されて落ちた景品Ｇを保持するようにしておけばよい。そして、「小当たり」時には景品保持テーブル１８，１８が固定テーブル１２より高い位置に上昇して、その上に保持されていた景品Ｇを固定テーブル１２上に戻すようにすれば、同様に、景品獲得口６０へ向かわない状態にあった景品Ｇを再び景品獲得口６０へ向かう状態に移動させることができる。固定テーブル１２より高い位置に上昇した景品保持テーブル１８，１８はその位置を維持することで景品の移動方向を規制する役割も同様に果たす。
【００６３】
尚、このように景品保持テーブル１８，１８は上記した起立した状態以外に、位置の上下、又は景品Ｇを寄せるように位置移動するようにしてもよい。また、景品保持テーブル１８，１８を「小当たり」時に起立させる場合について説明したが、現在のポイント数に応じて、景品保持テーブル１８，１８を段階的に起立させることとしてもよい。
【００６４】
図９は、特典動作の変形例を説明するための図である。例えば、現在のポイント数が“α”以上となった場合を「小当たり」とし、“β”以上となった場合を「中当たり」とする。図９（ｂ）に示すように、「小当たり」となった時に、景品保持テーブル１８，１８の上面と固定テーブル１２の上面との成す角度が所定角度θとなるように景品保持テーブル１８，１８を回転させる。さらに、図９（ｃ）に示すように、「中当たり」となった時に、景品保持テーブル１８，１８の上面と固定テーブル１２の上面との成す角度が所定角度θ´（略直角）となるように景品保持テーブル１８，１８を回転させる。
【００６５】
具体的には、例えば、図７に示して説明したモータ１９２として、正／逆方向に回転可能なモータを用い、さらに、景品保持テーブル１８の上面と固定テーブル１２の上面との成す角度が所定角度θ及びθ´となる位置を検知するためのセンサをそれぞれ備える。ここで、例えば、モータ１９２の回転の正方向を、景品保持テーブル１８を起立させる方向とし、モータ１９２の回転の逆方向を、景品保持テーブル１８を倒伏させる方向とする。
【００６６】
制御装置５０は、「小当たり」となった時に、正方向にモータ１９２を回転させ、上記した所定角度θを検知するためのセンサからの検知信号に応じてモータ１９２を停止させ、「中当たり」となった時に、さらに正方向にモータ１９２を回転させ、所定角度θ´を検知するためのセンサからの検知信号に応じてモータ１９２を停止させる。また、制御装置５０は、「中当たり」モードを解除する際に、逆方向にモータ１９２を回転させ、原点センサ１９７からの検知信号に応じてモータ１９２を停止させる。
【００６７】
従って、当該景品保持テーブル１８，１８の上面と固定テーブル１２の上面との成す角度が、現在のポイント数に応じた角度となるように、景品保持テーブル１８，１８の回転量を制御することができる。これによれば、スライドテーブル１４の移動により固定テーブル１２から押し出されて景品保持テーブル１８，１８上に保持される景品Ｇ´の内、固定テーブル１２上に復帰させる数を、現在のポイント数、即ち「小当たり」か「中当たり」かに応じて調整することができる。
【００６８】
また、例えば、現在のポイント数が「小当たり」のポイント数に満たない状態で所定時間が経過した場合や、ゲームオーバー時等において、景品保持テーブル１８，１８を下向きに傾斜させることとしてもよい。具体的には、例えば、図７に示して説明した、ローラ１９６が第１アーム１９３の回転端部から外れる直前の位置において、景品保持テーブル１８の上面と固定テーブル１２の上面との成す角度が１８０度以上となるように構成する。
【００６９】
これによれば、スライドテーブル１４により固定テーブル１２上から景品保持テーブル１８，１８上に押し出され、当該景品保持テーブル１８，１８上で保持されている景品Ｇ´を、ゲームオーバー時等において、ターンテーブル７０に落下させることができる。
【００７０】
また、景品保持テーブル１８，１８は固定テーブル１２内に設けてもよい。この場合、景品保持テーブル１８，１８を設ける位置は、スライドテーブル１４がスライドしても、ほとんど動かずに固定テーブル１２上に留まっている景品が多いところ（滞留するところ）に設けると効果的である。そうすると、「小当たり」時には同様に、景品獲得口６０へ向かわない状態にあった景品Ｇを再び景品獲得口６０に向かう状態に移動させることになる。
【００７１】
また、上記した実施の形態において説明した景品保持テーブル１８，１８に換えて、固定テーブル１２の左右両脇に起立して固定テーブル１２からの景品Ｇの落下を防止する景品落下防止状態と、当該景品落下防止状態から退避した定常状態とを切替可能に構成された防止部材を備えることとしてもよい。
【００７２】
図１０（ａ）は、防止部材９０，９０の定常状態、（ｂ）は景品落下防止状態をそれぞれ示している。遊戯装置１本体内には、防止部材９０，９０の定常状態と景品落下防止状態とを切り替えるためのモータ等で構成される落下防止部材駆動機構（図示略）が設置され、防止部材９０，９０は、モータの駆動等により固定テーブル１２の左右側面に設けられたガイドレール９２に沿って移動可能に構成されている。即ち、「小当たり」となった時に、図１０（ｂ）に示すように、防止部材９０，９０が固定テーブル１２の手前側まで移動し、「小当たり」モードが設定されている間、当該防止部材９０，９０が固定テーブル１２の側壁として機能する。
【００７３】
また、「小当たり」モードが解除された場合には、防止部材９０，９０が固定テーブル１２の奥側に移動して、図１０（ａ）に示す定常状態に戻るようになっている。
【００７４】
これによれば、「小当たり」モードが設定されている間、防止部材９０，９０により、固定テーブル１２の左右両脇からターンテーブル７０への景品Ｇの落下を防止することができるので、固定テーブル１２上に載置された景品を特典として確実に払い出すことができる。
【００７５】
図１１は、防止部材の定常状態と景品落下防止状態とを切り替えることによる「小当たり」時の特典動作の変形例を説明するための図である。（ａ）は防止部材１００，１００の定常状態、（ｂ）は景品落下防止状態をそれぞれ示している。防止部材１００，１００は、固定テーブル１２の後面に沿って配された軸部材Ａ１０の端部でそれぞれ支持され、防止部材１００，１００の定常状態と景品落下防止状態とを切り替えるための落下防止部材駆動機構（図示略）により、軸部材Ａ１０を軸中心として回動駆動されて、定常状態と景品落下防止状態とが切り替えられるようになっている。
【００７６】
また、図１１においては、防止部材１００を薄板状な部材として図示・説明したが、図１２に示すように、所定の厚さ方向の長さを有する部材としてもよい。その場合には、図１２（ａ）の状態において、防止部材１００の上面と、固定テーブル１２の上面とが連接した略同一の平面を成すように構成し、防止部材１００の上面でも景品を載置可能なように構成してもよい。
【００７７】
〔第２の実施の形態〕
次に、本発明を適用した第２の実施の形態について説明する。図１３は、第２の実施の形態における遊戯装置１ａの１つのステーションを示した要部平面図である。尚、以下では、第１の実施の形態で説明した構成と同一の構成要素には同一の符号を付してその説明を省略する。また、第１の実施の形態と同様に、スライドテーブル１４が景品獲得口６０に近づく向きを前、遠ざかる向きを後として説明する。
【００７８】
同図に示す遊戯装置１ａにおいて、プレーヤは、操作パネル８１に配置された操作部８２に対して操作入力を行うことにより、掬い上げ装置２０に対する掬い上げ動作を指示する。この操作パネル８１には、ルーレット８４が配置される。
【００７９】
ルーレット８４は、複数のランプ８６（図１３では７個）を備えて構成され、このルーレット８４の動作は、制御装置３００（図１７参照）により制御される。具体的には、ルーレット８４は、掬い上げ装置２０による掬い上げ動作の開始前に、制御装置３００の制御で起動され、各ランプ８６を点灯させる。制御装置３００は、所定の確率に従って「当たり」モード又は「外れ」モードを設定する。「当たり」モードが設定される確度（確率）は、プレーヤの連続プレイ数に応じて変動するようになっている。そして、設定されたモードに応じた点灯パターンで各ランプ８６を明滅させ、「当たり」となったこと、或いは「外れ」となったことをプレーヤに明示する。
【００８０】
また、詳細は後述するが、本第２の実施の形態において、固定テーブル１２の左右両脇に、当該固定テーブル１２上に載置された景品Ｇの落下を防止する落下防止機構２００，２００を備える。
【００８１】
本第２の実施の形態は、「当たり」モードが設定された際に起動される特典動作に関するものである。図１４は、「当たり」モードが設定された際に起動される特典動作を説明するための図である。（ａ）は落下防止機構２００，２００の定常状態、（ｂ）は景品落下防止状態（第１位置）、をそれぞれ示している。
【００８２】
同図に示すように、落下防止機構２００，２００は、固定テーブル１２と垂直な垂直軸２１０に支持された平板状の防止部材２２０，２２０を備えており、防止部材２２０，２２０が、垂直軸２１０を中心に、固定テーブル１２に接近する方向及び固定テーブル１２から離れる方向に往復揺動することにより、落下防止機構２００，２００の定常状態（ａ）と、景品落下防止状態（ｂ）とが切り替えられるようになっている。
【００８３】
具体的には、「当たり」モードが設定された場合に、防止部材２２０，２２０が固定テーブル１２の左右両脇に接近し、当接面２２０ａ，２２０ａが、スライドテーブル１４の側面に当接或いは最近接する位置（第１位置）に移動することで、スライドテーブル１４のスライド方向に沿って、固定テーブル１２を挟むような位置に移動する。そして、例えば、「当たり」モードが設定されてから所定時間経過時に「当たり」モードを解除する際に、防止部材２２０，２２０は、固定テーブル１２の左右両脇から離れて、（ａ）に示す定常状態に戻る。また、防止部材２２０，２２０は、その高さ方向の長さが、固定テーブル１２の厚さ方向の長さより十分大きく、第１位置に位置した際に、最も高い位置が固定テーブル１２の高さより十分に高い位置にくるように配設されている。
【００８４】
これによれば、「当たり」モードが設定されている間、落下防止機構２００，２００は、固定テーブル１２に接近している状態（景品落下防止状態）を維持するので、固定テーブル１２の左右両脇からターンテーブル７０への景品Ｇの落下を防止し、景品獲得口６０に続く固定テーブル１２の前面に向かって景品Ｇが移動する規制ガイドの役割を果たす。従って、「当たり」時の景品のペイアウト率を高めることが可能となるため、ゲーム性を向上させることができ、プレーヤの遊戯意欲を高めることができる。
【００８５】
次に、落下防止機構２００の構成について説明する。図１５は、景品獲得口６０周辺の構成の平面図であり、図１６は、その縦断面図である。
【００８６】
落下防止機構２００は、出力軸の回転角度制御が可能なモータ２３０と、固定テーブル１２の前端部側の角付近に設けられた垂直軸２１０と、この垂直軸２１０に支持され、モータ２３０を駆動源として揺動する防止部材２２０と、モータ２３０の回転動作を揺動動作に変換して防止部材２２０に伝達する伝達機構２４０と、モータ２３０の回転角度制御を行うための基準位置を検出するセンサ２５０とを備えて構成される。
【００８７】
伝達機構２４０は、モータ２３０の回転駆動力で回転する支持部材２４１と、支持部材２４１の一端で支持され、図１５中の一点鎖線で示す円弧上を周回するローラ２４２と、ローラ２４２に当接して揺動する断面Ｌ字状の揺動体２４３と、ローラ２４２と揺動体２４３との当接状態を維持するばね２４４とを備える。
【００８８】
揺動体２４３は、ローラ２４２の外周に当接する側壁部を備え、ローラ２４２が周回動作を行うことにより往復揺動を行う。この揺動体２４３は垂直軸２１０に支持されており、ローラ２４２の周回動作に応じて防止部材２２０とともに揺動する。即ち、モータ２３０が回転駆動することにより、ローラ２４２と揺動体２４３を介して防止部材２２０を往復揺動させることができる。
【００８９】
また、支持部材２４１の他端部にはセンサ２５０による被検出板２４５が設けられている。センサ２５０は、発光素子と受光素子とからなり、これらの間を支持部材２４１に設けられた被検出板２４５が通過するように配置されている。従って、センサ２５０は、被検出板２４５の通過位置を基準位置として所定角度モータ２３０を回転駆動することにより、防止部材２２０の景品落下防止状態と定常状態とを切り替えることができる。
【００９０】
次に、「当たり」に対応する特典動作に係る遊戯装置１ａの動作について説明する。図１７は、遊戯装置１ａの内部構成の一例を示す機能ブロック図である。同図に示すように、制御装置３００は、ルーレット８４の動作を制御し、「当たり」モードを設定した場合に、モータ２３０に駆動信号を出力してモータ２３０の回転動作を制御することにより、防止部材２２０の定常状態／景品落下防止状態を切り替える。また、上記したように、制御装置３００には、フォトセンサ２５０から検知信号が入力される。
【００９１】
具体的には、制御装置３００は、「当たり」モードを設定した場合に、モータ２３０に駆動信号を出力して、支持部材２４１を回転させる。そして、制御装置３００は、フォトセンサ２５０から入力される検知信号に応じて駆動信号の出力を中止して支持部材２４１の回転を停止させる。
【００９２】
また、制御装置３００は、「当たり」モードを設定してからの経過時間を監視し、所定時間（例えば、１分）が経過した際に、「当たり」モードを解除する。即ち、制御装置３００は、モータ２３０に駆動信号を出力して支持部材２４１を回転させて、防止部材２２０を景品落下防止状態から定常状態に戻した後、駆動信号の出力を中止して支持部材２４１の回転を停止させる。
【００９３】
これによれば、「当たり」モードが設定されている間、落下防止機構２００，２００の景品落下防止状態を維持することができ、固定テーブル１２の左右両脇からターンテーブル７０への景品Ｇの落下を防止することができるので、固定テーブル１２上に載置された景品Ｇを特典として確実に払い出すことができる。
【００９４】
以上、本発明を適用した２つの実施の形態として、景品を獲得する遊戯装置を例にとって説明したが、本発明は、固定テーブル上を往復移動するスライドテーブルにより押し出されるメダルが払い出される、いわゆるプッシャー型のメダルゲームに適用することも可能である。
【００９５】
【発明の効果】
以上説明したように、本発明を適用した景品押出装置によれば、景品押出装置の第１位置への移動が可能に構成された防止部材を備え、当該防止部材が第１位置に位置する場合には、押出部材により載置台上を移動する景品の所定方向への移動を防止することができる。さらに、当該押出部材により押し出される景品を、遊戯装置外部に景品を送出する景品獲得口側に移動させることができる。
【００９６】
また、防止部材が第２位置に位置する場合には、防止部材の一側面と載置台の上面との連接して略同一平面を形成する。これにより、載置台の面積を、防止部材の一側面の面積分広くすることができ、押出部材により載置台上から押し出された景品を、当該防止部材の一側面上に保持しておくことができる。
【００９７】
そして、防止部材の一側面と、載置台の上面との成す角度を変更することができるので、防止部材上に保持される景品を載置台上に移動させることができる。また、防止部材の一側面と、載置台の上面との成す角度を段階的に変更することも可能である。
【００９８】
また、本発明を適用した景品押出装置によれば、第１位置への移動が可能な防止部材を備えることにより、防止部材が第１位置に位置する場合に、当該防止部材により、載置台上を移動する押出部材による景品の所定方向への移動を防止することができる。
【００９９】
そして、防止部材が第１位置に位置する場合に、押出部材の往復移動により押し出される景品を、当該押出部材の往復移動方向、即ち、景品獲得口に向かう方向に案内することができる。
【０１００】
また、防止部材が第１位置に位置することにより、前記防止部材は押出部材の往復移動方向に沿って載置台の上面に対して略起立した状態となるので、載置台上の景品の、押出部材の往復移動方向と直交する方向への移動を防止することができるとともに、押出部材の往復移動により押し出される景品を、当該押出部材の往復移動方向、即ち、景品獲得口に向かう方向に案内することができる。
【０１０１】
また、防止部材は、載置台の上面に対して略垂直に設けられて防止部材を支持する軸を回動させることによって、景品を前記所定方向に移動させるための第１位置に移動させることができる。
【図面の簡単な説明】
【図１】本発明を適用した一実施の形態における遊戯装置の外観図の一例を示す図である。
【図２】遊戯装置の平面図の一例を示す図である。
【図３】遊戯装置の１つのステーションに係る要部正面図の一例を示す図である。
【図４】遊戯装置の１つのステーションに係る要部縦断面図の一例を示す図である。
【図５】特典動作を説明するための図である。
【図６】プッシャーテーブル部の平面図の一例を示す図である。
【図７】プッシャーテーブル部の要部正面図の一例を示す図である。
【図８】遊戯装置の機能ブロックの一例を示す図である。
【図９】特典動作の変形例を説明するための図である。
【図１０】特典動作の変形例を説明するための図である。
【図１１】特典動作の変形例を説明するための図である。
【図１２】防止部材の変形例を説明するための図である。
【図１３】遊戯装置の１つのステーションに係る要部正面図の一例を示す図である。
【図１４】特典動作を説明するための図である。
【図１５】景品獲得口周辺の構成の平面図の一例を示す図である。
【図１６】景品獲得口周辺の構成の縦断面図の一例を示す図である。
【図１７】遊戯装置の機能ブロックの一例を示す図である。
【符号の説明】
１                    遊戯装置
１０                プッシャーテーブル部
１２              固定テーブル
１４              スライドテーブル
１６              スイッチ
１８ａ，１８ｂ    景品保持テーブル
Ａ１，Ａ２      軸部材
１９ａ，１９ｂ  保持テーブル駆動機構
１９１        支持部材
１９２        モータ
１９３        第１アーム
１９４        第２アーム
１９５        ばね部材
１９６        ローラ
１９７        原点センサ
２０                掬い上げ装置
３０                ＪＰ用払出装置
４０                景品補充装置
５０                制御装置
６０                景品獲得口
７０                ターンテーブル
８０                操作部
Ｇ，Ｇ´              景品
【図１】
2004160148.tif 000003
【図２】
2004160148.tif 000004
【図３】
2004160148.tif 000005
【図４】
2004160148.tif 000006
【図５】
2004160148.tif 000007
【図６】
2004160148.tif 000008
【図７】
2004160148.tif 000009
【図８】
2004160148.tif 000010
【図９】
2004160148.tif 000011
【図１０】
2004160148.tif 000012
【図１１】
2004160148.tif 000013
【図１２】
2004160148.tif 000014
【図１３】
2004160148.tif 000015
【図１４】
2004160148.tif 000016
【図１５】
2004160148.tif 000017
【図１６】
2004160148.tif 000018
【図１７】
2004160148.tif 000019